(57)【特許請求の範囲】
【請求項１】
複数の鋼管本体が継手を介して連結された構造を有し、該鋼管本体に対応する畝部と該継手に対応する溝部とからなる凹凸を表面に有する、鋼管矢板の該表面に設置される、鋼管矢板の防食構造であって、
前記鋼管矢板の表面に接触する防食層を含む防食本体部と、前記溝部に配され、該防食本体部を該鋼管矢板側に押さえつけて固定する固定手段とを備え、
前記固定手段は、前記防食本体部の表面に接触する押さえ板材と、前記継手の外面から突出するボルトと、該ボルトと螺合するナットとを含み、
前記ボルトが、前記防食本体部及び前記押さえ板材を貫通し、該ボルトの該押さえ板材の表面からの突出部に前記ナットが螺合されることで、該押さえ板材が前記継手側に押圧されるとともに、該防食本体部が前記鋼管矢板の表面に固定されており、
前記押さえ板材は、前記溝部の幅方向に対応する第１方向と該第１方向に直交する第２方向とを有し、且つ該溝部を挟んで隣り合う２つの前記鋼管本体の一方から他方にわたって延在しており、
前記押さえ板材の前記第２方向に沿う一対の両側部が、該押さえ板材の表面側に折り曲げられて折り曲げ部とされ、その一対の折り曲げ部が、前記溝部を挟んで隣り合う２つの前記鋼管本体それぞれの外周面に設置された前記防食本体部に重ねられており、
前記押さえ板材における一対の前記折り曲げ部に挟まれた部分が、前記ボルトが貫通され且つ該ボルトに螺合された前記ナットによって前記継手側に押圧された状態で、該継手の外面に設置された前記防食本体部に重ねられており、
前記押さえ板材における一対の前記折り曲げ部に挟まれた部分は、前記ナットを前記ボルトから外して該押さえ板材の押圧状態を解除することで、スプリングバックにより前記継手から離れる方向に湾曲可能である、鋼管矢板の防食構造。
【請求項２】
複数の鋼管本体が継手を介して連結された構造を有し、該鋼管本体に対応する畝部と該継手に対応する溝部とからなる凹凸を表面に有する、鋼管矢板の該表面に、防食層を含む防食構造を設置する場合に、該溝部に配され、該防食構造を該鋼管矢板側に押さえつけて固定する、押さえ板材であって、
前記溝部の幅方向に対応する第１方向と該第１方向に直交する第２方向とを有し、該第２方向に沿う一対の両側部が、該押さえ板材の一方の面側に折り曲げられて折り曲げ部とされており、
自然状態において、前記折り曲げ部は前記第１方向に沿う断面視で前記湾曲部に対してＶ字状に屈曲しており、
自然状態において、前記一対の折り曲げ部に挟まれた部分が、前記一方の面側に凸に湾曲した湾曲部であり、
前記湾曲部は、該湾曲部を前記一方の面側とは反対側に押圧することで平坦状に変形し、且つその押圧を解除すると元の湾曲した状態に戻る、押さえ板材。
【請求項３】
前記継手の外面から前記押さえ板材を固定するためのボルトが突出し、該継手の外面に設置された前記防食構造を貫通しており、
前記湾曲部に、前記ボルトの挿入孔が形成されており、
前記挿入孔に前記ボルトを貫通させ、該ボルトの該押さえ板材の表面からの突出部にナットを螺合させることで、前記湾曲部を前記継手側に押圧して平坦状に変形させるともに、前記防食構造を前記鋼管矢板の表面に固定可能になされている、請求項２に記載の押さえ部材。
【請求項４】
前記湾曲部が押圧されて平坦状に変形している状態で、前記一対の折り曲げ部が、前記溝部を挟んで隣り合う２つの前記鋼管本体それぞれの外周面に設置された前記防食構造に接触し得る、請求項３に記載の押さえ板材。
【請求項５】
複数の鋼管本体が継手を介して連結された構造を有し、該鋼管本体に対応する畝部と該継手に対応する溝部とからなる凹凸を表面に有する、鋼管矢板の該表面に、防食層を含む防食構造を設置する場合に、該溝部に配され、該防食構造を該鋼管矢板側に押さえつけて固定する、押さえ板材であって、
前記溝部の幅方向に対応する第１方向と該第１方向に直交する第２方向とを有し、該第２方向に沿う一対の両側部が、該押さえ板材の一方の面側に折り曲げられて折り曲げ部とされており、
自然状態において、前記折り曲げ部は湾曲しており、
自然状態において、前記一対の折り曲げ部に挟まれた部分が、前記一方の面側に凸に湾曲した湾曲部であり、
前記湾曲部は、該湾曲部を前記一方の面側とは反対側に押圧することで平坦状に変形し、且つその押圧を解除すると元の湾曲した状態に戻り、
前記継手の外面から前記押さえ板材を固定するためのボルトが突出し、該継手の外面に設置された前記防食構造を貫通しており、
前記湾曲部に、前記ボルトの挿入孔が形成されており、
前記挿入孔に前記ボルトを貫通させ、該ボルトの該押さえ板材の表面からの突出部にナットを螺合させることで、前記湾曲部を前記継手側に押圧して平坦状に変形させるともに、前記防食構造を前記鋼管矢板の表面に固定可能になされており、
前記湾曲部が押圧されて平坦状に変形している状態で、前記一対の折り曲げ部が、前記溝部を挟んで隣り合う２つの前記鋼管本体それぞれの外周面に設置された前記防食構造に接触し得る、押さえ板材。
【請求項６】
チタン、チタン合金及びステンレス鋼からなる群から選択される１種以上を含んで構成されている、請求項２〜５の何れか１項に記載の押さえ板材。
【発明の詳細な説明】
【技術分野】
【０００１】
本発明は、鋼管矢板の凹凸表面を防食するための防食構造及びそれに用いる押さえ板材に関する。
【背景技術】
【０００２】
防波堤、岸壁、桟橋、橋脚などの港湾、河川、湖沼などに設置される構造物では、海水や河川水に曝された環境下で長期間使用するため、何らかの防食処理を施すのが一般的である。例えば、海洋環境に設置される海洋・港湾構造物に用いられる鋼管矢板を対象とした防食方法には、主として海中部及び海底土中部を対象とした電気防食と、主として海上大気部、飛沫帯、干満帯及び海中部を対象とした被覆防食とがある。被覆防食としては、鋼管矢板の表面に防食材を含む防食層を設置し、更に該防食層の表面を保護カバーで被覆する方法が知られている。
【０００３】
鋼管矢板は、典型的には、複数の鋼管本体が継手を介して連結された構造を有し、防食対象である鋼管矢板の表面は、該鋼管本体に対応する畝部と該継手に対応する溝部とからなる凹凸を有する。このような鋼管矢板の凹凸面を防食層で被覆し、更に該防食層の表面を保護カバーで被覆する場合には従来、保護カバーとして、畝部の表面を被覆する本体部と、該本体部から溝部側に延出するフランジ部とを有するフランジ形状の保護カバーを使用し、このフランジ状の保護カバーを鋼管本体の連結方向に複数並べて配置する方法が採用されている。この方法では、隣り合う２つの保護カバーそれぞれのフランジ部が鋼管矢板の溝部で重ねられ、そのフランジ部どうしの重なり部に平板状の固定板が当接され、その状態で該固定板が該重なり部とともにボルト及びナットにより継手に固定される場合が多い。そしてこの場合には、固定板が保護カバーのフランジ部どうしの重なり部の全体を均一な力で継手側に押圧して初めて、保護カバーが防食層に密着し、更には防食層が防食対象面である鋼管矢板の表面に密着する。
【０００４】
しかしながら、前記の平板状の固定板を用いた保護カバーの固定方法では、該固定板における溝部の幅方向中央部のみをボルト及びナットで締め付けるため、その締め付け部分のみが継手側に押圧され、それ以外の部分、例えば該固定板における溝部の長手方向に沿う両側部は、継手側とは反対側に反り返り、その結果、保護カバーが防食層に密着せずに浮き上がってしまうという問題があった。この問題を解決するため、特許文献１に記載の防食構造では、保護カバーを、鋼管本体の外周面を被覆する本体カバー部と底カバー部とが該鋼管本体の連結方向に連続した構造とし、該底カバー部の表面に平板状の押さえ部材を配置し、これらをボルト及びナットによって締め付けて一体とすることで、該押さえ部材に溝部の幅方向に沿う張力を付与し、それによって防食層の防食対象面への密着性を高めている。
【先行技術文献】
【特許文献】
【０００５】
【特許文献１】特開２０１２−２２４９９４号公報
【発明の概要】
【発明が解決しようとする課題】
【０００６】
特許文献１に記載の技術は、鋼管矢板の凹凸表面に対して防食層を密着させ得るものの、そのための構成が比較的複雑で作業性等の点で改善の余地がある。比較的簡単な構成でありながらも、防食層を凹凸表面に密着させ得る技術は未だ提供されていない。
【０００７】
本発明の課題は、鋼管矢板の凹凸表面に対する防食層の密着性に優れ、該凹凸表面を効果的に防食し得る、鋼管矢板の防食構造を提供することである。
また、本発明の課題は、鋼管矢板の凹凸表面に防食層を密着させ得る押さえ板材を提供することである。
【課題を解決するための手段】
【０００８】
本発明は、複数の鋼管本体が継手を介して連結された構造を有し、該鋼管本体に対応する畝部と該継手に対応する溝部とからなる凹凸を表面に有する、鋼管矢板の該表面に設置される、鋼管矢板の防食構造であって、前記鋼管矢板の表面に接触する防食層を含む防食本体部と、前記溝部に配され、該防食本体部を該鋼管矢板側に押さえつけて固定する固定手段とを備え、前記固定手段は、前記防食本体部の表面に接触する押さえ板材と、前記継手の外面から突出するボルトと、該ボルトと螺合するナットとを含み、前記ボルトが、前記防食本体部及び前記押さえ板材を貫通し、該ボルトの該押さえ板材の表面からの突出部に前記ナットが螺合されることで、該押さえ板材が前記継手側に押圧されるとともに、該防食本体部が前記鋼管矢板の表面に固定されており、前記押さえ板材は、前記溝部の幅方向に対応する第１方向と該第１方向に直交する第２方向とを有し、且つ該溝部を挟んで隣り合う２つの前記鋼管本体の一方から他方にわたって延在しており、前記押さえ板材の前記第２方向に沿う一対の両側部が、該押さえ板材の表面側に折り曲げられて折り曲げ部とされ、その一対の折り曲げ部が、前記溝部を挟んで隣り合う２つの前記鋼管本体それぞれの外周面に設置された前記防食本体部に重ねられており、前記押さえ板材における一対の前記折り曲げ部に挟まれた部分が、前記ボルトが貫通され且つ該ボルトに螺合された前記ナットによって前記継手側に押圧された状態で、該継手の外面に設置された前記防食本体部に重ねられており、前記ナットを前記ボルトから外して前記押さえ板材の押圧状態を解除すると、該押さえ板材における一対の前記折り曲げ部に挟まれた部分が、スプリングバックにより前記継手から離れる方向に湾曲する、鋼管矢板の防食構造である。
【０００９】
また本発明は、複数の鋼管本体が継手を介して連結された構造を有し、該鋼管本体に対応する畝部と該継手に対応する溝部とからなる凹凸を表面に有する、鋼管矢板の該表面に、防食層を含む防食構造を設置する場合に、該溝部に配され、該防食構造を該鋼管矢板側に押さえつけて固定する、押さえ板材であって、前記溝部の幅方向に対応する第１方向と該第１方向に直交する第２方向とを有し、該第２方向に沿う一対の両側部が、該押さえ板材の一方の面側に折り曲げられて折り曲げ部とされており、自然状態において、前記一対の折り曲げ部に挟まれた部分が、前記一方の面側に凸に湾曲した湾曲部であり、前記湾曲部は、該湾曲部を前記一方の面側とは反対側に押圧することで平坦状に変形し、且つその押圧を解除すると元の湾曲した状態に戻る、押さえ板材である。
【発明の効果】
【００１０】
本発明によれば、鋼管矢板の凹凸表面に対する防食層の密着性に優れ、該凹凸表面を効果的に防食し得る、鋼管矢板の防食構造が提供される。また、本発明によれば、鋼管矢板の凹凸表面に防食層を密着させ得る押さえ板材が提供される。
【図面の簡単な説明】
【００１１】
【図１】図１は、本発明の鋼管矢板の防食構造の使用例を模式的に示す正面図であり、該鋼管矢板の表面に該防食構造の一実施形態が設置された状態を示す図である。
【図２】図２は、図１のＩ−Ｉ線断面（溝部の幅方向に沿う断面）を模式的に示す横断面図である。
【図３】図３は、図１に示す防食構造に使用されている押さえ板材の自然状態での模式的な斜視図である。
【図４】図４は、図３のＩＩ−ＩＩ線断面（溝部の幅方向に沿う断面）を模式的に示す横断面図である。
【図５】図５は、図２に示す防食構造において、押さえ板材の押圧状態を解除した状態を模式的に示す横断面図である。
【図６】図６は、本発明の鋼管矢板の防食構造の他の実施形態の図２相当図（溝部の幅方向に沿う断面図）である。
【図７】図７は、本発明の鋼管矢板の防食構造の更に他の実施形態の図２相当図（溝部の幅方向に沿う断面図）である。
【図８】図８は、本発明の鋼管矢板の防食構造の更に他の実施形態の図２相当図（溝部の幅方向に沿う断面図）である。
【図９】図９は、本発明の鋼管矢板の防食構造の更に他の実施形態の図２相当図（溝部の幅方向に沿う断面図）である。
【図１０】図１０は、図９に示す防食構造に使用されている押さえ板材の図４相当図（溝部の幅方向に沿う断面図）である。
【発明を実施するための形態】
【００１２】
以下、本発明をその好ましい実施形態に基づき図面を参照して説明する。なお、以下の図面の記載において、同一又は類似の部分には、同一又は類似の符号を付している。図面は基本的に模式的なものであり、各寸法の比率などは現実のものとは異なる場合がある。
【００１３】
図１及び図２には、本発明の鋼管矢板の防食構造の一実施形態である防食構造５の使用例が示されている。防食構造５は、鋼管矢板３の表面３０に設置される。鋼管矢板３は、典型的には、海岸や河川の岸辺に設置された護岸を構成し、その表面３０は海洋や河川に面しているため、厳しい腐食条件に晒されている。本発明の鋼管矢板の防食構造は、このような腐食されやすい鋼管矢板の表面を防食するために用いられる。
【００１４】
鋼管矢板３は、図１及び図２に示すように、複数の鋼管本体１が継手２（２Ａ，２Ｂ）を介して連結された構造を有する。防食対象面である鋼管矢板３の表面３０は、鋼管本体１に対応する畝部３１と継手２に対応する溝部３２とからなる凹凸を有している。畝部３１と溝部３２とは、鋼管本体１の連結方向に交互に配されている。図中符号Ｘで示す方向はこの連結方向であり、また、溝部３２の幅方向、後述する押さえ板材２１の第１方向でもある。また、図中符号Ｙで示す方向は、符号Ｘで示す方向に直交する方向であり、溝部３２の長手方向、鋼管本体１の軸長方向、後述する押さえ板材２１の第２方向でもある。
【００１５】
複数の鋼管本体１は、図２に示す如き第１方向Ｘに沿う断面視において外周面１ａが湾曲しており、典型的には、円筒状をなしている。複数の鋼管本体１それぞれの外周面１ａには、複数の鋼管本体１の連結方向に間隔を空けて一対の継手２，２が溶接等により接合されている。継手２の外面２ａは、溝部３２の底部に位置し、鋼管本体１の外周面１ａとともに、鋼管矢板３の表面３０を形成している。継手２には様々な形状のものがあり、図２に示す形態では、溝部３２を挟んで隣り合う２つの鋼管本体１，１のうちの一方の継手２Ａは、第１方向Ｘに沿う断面視において、周方向の一部が切り欠かかれた円形状をなし、いわゆる円形パイプにスリットが形成されたＣ型継手であり、他方の継手２Ｂは、同断面視においてＴ字状をなすＴ型継手である。溝部３２では両継手２Ａ，２Ｂどうしが連結されている。このようなＣ型継手とＴ型継手との連結部は、一般にＰ−Ｔ型と呼ばれる。
【００１６】
防食構造５は、鋼管矢板３の表面３０に接触する防食層１１を含む防食本体部１０と、溝部３２に配され、防食本体部１０を鋼管矢板３側に押さえつけて固定する固定手段２０とを備える。
【００１７】
図２に示す形態では、防食本体部１０は、鋼管矢板３の表面３０、具体的には鋼管本体１の外周面１ａ及び継手２の外面２ａに接触する防食層１１と、防食本体部１０の表面（後述する押さえ板材２１と接触する面）を形成する保護カバー１２と、防食層１１と保護カバー１２との間に介在する緩衝層１３とを含み、これらが一体化された積層構造を有している。
【００１８】
防食層１１は、防食本体部１０が有する防食機能を発現する部位であり、防食材を主体として構成さている。防食層１１を形成する防食材としては、被覆防食の分野において従来用いられている材料を特に制限なく用いることができ、例えば、ペトロラタム系防食材；水中硬化型樹脂などの硬化性樹脂；樹脂フォーム材が挙げられ、これらの１種を単独で又は２種以上を組み合わせて用いることができる。前記ペトロラタム系防食材としては、ペトロラタムを主成分とし、腐食抑制剤等を含有するペーストを例示できる。前記硬化性樹脂としては、エポキシ系樹脂、ウレタン系樹脂、シリコーン系樹脂、ポリサルファイド系樹脂、ポリエステル系樹脂を例示できる。前記樹脂フォーム材としては、ポリウレタン系樹脂、ポリスチレン系樹脂、ポリエチレン系樹脂、ゴム系樹脂を例示できる。防食層１１はシート状でもよい。シート状の防食層１１は、典型的には、基材シートに防食材を含有させたものであり、具体例として、ペトロラタムペーストやペトロラタムを主成分とするコンパウンドを不織布等の基材シートに含浸させてシート状にしたペトロラタムシートを例示できる。防食層１１の厚みは、これを形成する防食材の種類等によって適宜設定すればよく特に限定されないが、例えば、防食層１１が前記ペトロラタム系防食材を含む場合は、好ましくは２〜１０ｍｍである。
【００１９】
保護カバー１２としては、この種の防食構造において保護カバーとして使用可能なものを特に制限無く用いることができ、例えば、ガラス繊維強化プラスチック（ＦＲＰ）製保護カバー；ポリエステル樹脂、エポキシ樹脂、ポリプロピレン樹脂、塩化ビニル樹脂などのプラスチックからなる保護カバー；ステンレス、チタンなどの耐食性金属からなる保護カバーが挙げられる。
【００２０】
緩衝層１３は、防食層１１と保護カバー１２との間に配されて、防食層１１の防食対象面（鋼管矢板３の表面３０）に対する密着性を高めるための緩衝材として機能するものである。緩衝層１３としては、このような緩衝材としての機能を果たし得る柔軟性、弾力性を有し、また、防食対象が鋼管矢板のような海洋環境に暴露されるものである場合には更に吸水性を有するものが好ましく、斯かる観点から、三次元状に連結する骨格を有し、該骨格により三次元状に連結する気孔が形成される三次元網目状構造体を有する連通孔樹脂フォームが好ましい。前記連通孔樹脂フォームとしては、例えば、発泡ポリエチレン、発泡ポリウレタンなどが挙げられる。
【００２１】
図２に示す形態では、溝部３２（継手２）を挟んで隣り合う２つの鋼管本体１，１の外周面１ａに設置された防食本体部１０それぞれから保護カバー１２が溝部３２側に延出し、その保護カバー１２，１２の延出部１２Ｅ，１２Ｅどうしが溝部３２の幅方向Ｘの中央部で重なり、その重なり部が、継手２の外面２ａに設置された防食本体部１０の表面を形成する保護カバー１２と接触している。保護カバー１２の延出部１２Ｅは、継手２の外面２ａに設置された防食本体部１０の湾曲した表面を形成する保護カバー１２の接線方向に延びており、延出部１２Ｅと継手２の外面２ａに設置された防食本体部１０の保護カバー１２との間には隙間Ｇが形成されている。
【００２２】
固定手段２０は、図２に示すように、防食本体部１０の表面を形成する保護カバー１２に接触する押さえ板材２１と、継手２の外面２ａから離れる方向に突出するボルト２２と、ボルト２２と螺合するナット２３とを含む。図２に示す固定手段２０は更に、継手２の外面２ａに固定された支持基材２４と、押さえ板材２１とナット２３との間にボルト２２が貫通した状態で配される固定板２５及びワッシャー（平座金）２６とを備える。ボルト２２は、その長手方向の一端が支持基材２４に固定され、鋼管矢板３（継手２）から離れる方向に突出している。固定板２５は、図１に示すように、溝部３２の長手方向Ｙに沿って延びる平面視帯状をなし、押さえ板材２１の表面に接触している。ワッシャー２６は平面視環状をなし、ナット２３と固定板２５との間に配されている。図２に示す形態では、押さえ板材２１は、前述した、溝部３２（継手２）を挟んで隣り合う２つの鋼管本体１，１それぞれから延出する保護カバー１２の延出部１２Ｅの表面に接触している。
【００２３】
図２に示すように、ボルト２２が、継手２の外面２ａに設置された防食本体部１０及び押さえ板材２１を貫通し、該ボルト２２の該押さえ板材２１の表面からの突出部に、固定板２５及びワッシャー２６が通され、更にナット２３が螺合されることで、該押さえ板材２１が継手２側に押圧されるとともに、防食本体部１０が鋼管矢板３の表面３０に固定される。こうして固定手段２０によって鋼管矢板３の表面３０に固定されるのは、溝部３２の底部に位置しボルト２２が貫通された、「継手２の外面２ａに設置された防食本体部１０」だけでなく、「溝部３２（継手２）を挟んで隣り合う２つの鋼管本体１，１の外周面１ａに設置された防食本体部１０」が含まれる。このように、固定手段２０が、溝部３２を三方から包囲する複数の防食本体部１０をそれぞれ防食対象面（継手２の外面２ａ、鋼管本体１の外周面１ａ）に密着させ固定し得るのは、後述する押さえ板材２１の特徴的な構成によるところが大きい。
【００２４】
押さえ板材２１は前述したとおり、複数の鋼管本体１が継手２を介して連結された構造を有し、該鋼管本体１に対応する畝部３１と該継手２に対応する溝部３２とからなる凹凸を表面３０に有する、鋼管矢板３の該表面３０（図１参照）に、防食層１１を含む防食構造（図２に示す形態では防食本体部１０）を設置する場合に、該溝部３２に配され、該防食構造を該鋼管矢板３側に押さえつけて固定するものである。
【００２５】
図３及び図４には、自然状態すなわち外力がかかっていない状態の押さえ板材２１が示されている。押さえ板材２１は、図３及び図４に示すように、鋼管矢板３の表面３０の溝部３２の幅方向Ｘに対応する第１方向Ｘと該第１方向Ｘに直交する第２方向Ｙとを有し、第２方向Ｙに沿う一対の両側部が、該押さえ板材２１の一方の面２１ａ側に折り曲げられて折り曲げ部２１０とされている。
【００２６】
そして、図３及び図４に示すように、押さえ板材２１の自然状態において、該押さえ板材２１における一対の折り曲げ部２１０，２１０に挟まれた部分は、一方の面２１ａ側（折り曲げ部２１０の折り曲げ側）に凸に湾曲した湾曲部２１１であり、図４に示す如き第１方向Ｘに沿う断面視において円弧状をなしている。湾曲部２１１は、該湾曲部２１１を一方の面２１ａ側とは反対側（他方の面２１ｂ側）に押圧することで平坦状に変形し、且つその押圧を解除するとスプリングバックにより元の湾曲した状態に戻る。
【００２７】
押さえ板材２１は、このようなスプリングバックを発現し得る帯状の材料からなる。押さえ板材２１の形成材料としては、例えば、チタン、チタン合金、ステンレス鋼等の金属が挙げられ、押さえ板材２１は、これらの材料の１種を単独で又は２種以上を含んで構成される。押さえ板材２１は、典型的には、図示の形態の如き単層構造であるが、複数の層が積層された積層構造でもよく、その場合複数の層は、互いに組成が同じでもよく、異なっていてもよい。
【００２８】
自然状態において、押さえ板材２１の折り曲げ部２１０は、図４に示すように湾曲している。湾曲した折り曲げ部２１０は、図４に示す如き第１方向Ｘに沿う断面視において円弧状をなし、湾曲部２１１と相対向している。
【００２９】
図３及び図４に示すように、押さえ板材２１の湾曲部２１１には、ボルト挿入孔２１２が形成されている。前述したとおり、押さえ板材２１が適用される防食構造５においては、図２に示すように、継手２の表面すなわち外面２ａから押さえ板材２１を固定するためのボルト２２が突出し、外面２ａに設置された防食本体部１０を貫通しているところ、このボルト２２が挿入されるのがボルト挿入孔２１２である。ボルト挿入孔２１２は、押さえ板材２１の第１方向Ｘの中央部において、第２方向Ｙに間欠配置されている。以上の如き構成を有する押さえ板材２１は、ボルト挿入孔２１２にボルト２２を貫通させ、ボルト２２の押さえ板材２１の表面からの突出部にナット２３を螺合させることで、湾曲部２１１を継手２側に押圧して平坦状に変形させるともに、防食層１１を含む防食構造（図２に示す形態では防食本体部１０）を鋼管矢板３の表面に固定可能になされている。
【００３０】
押さえ板材２１は、図２に示すように、ボルト２２及びナット２３による締め付けによって湾曲部２１１が押圧されて平坦状に変形している状態で、一対の折り曲げ部２１０，２１０が、溝部３２（継手２）を挟んで隣り合う２つの鋼管本体１，１それぞれの外周面１ａに設置された防食構造（図２に示す形態では防食本体部１０）に接触し得るようになされている。これにより、湾曲部２１１が押圧されて平坦状に変形している状態では、継手２の外面２ａに設置された防食本体部１０が、平坦状に変形した湾曲部２１１によって継手２側に押圧されるとともに、継手２を挟んで両側に位置する２つの鋼管本体１，１の外周面１ａに設置された一対の防食本体部１０，１０それぞれが、折り曲げ部２１０によって鋼管本体１側に押圧される。このとき折り曲げ部２１０は、図２に示すように、その湾曲形状を維持しており、鋼管本体１の外周面１ａに設置された防食本体部１０に対し「点」で接触する。
【００３１】
防食構造５において、押さえ板材２１は、図２に示すように、溝部３２（継手２）を挟んで隣り合う２つの鋼管本体１，１の一方から他方にわたって延在している。押さえ板材２１の一対の折り曲げ部２１０，２１０は、２つの鋼管本体１，１それぞれの外周面１ａに設置された防食本体部１０に直接又は間接に重ねられている。ここでいう、「直接に重ねられる」とは、折り曲げ部２１０と防食本体部１０とが接触している状態を意味し、「間接に重ねられる」とは、折り曲げ部２１０と防食本体部１０との間に他の部材が介在している状態を意味する。図２に示す形態では、折り曲げ部２１０は鋼管本体１に設置された防食本体部１０に直接重ねられており、両者は接触している。また、押さえ板材２１の湾曲部２１１、すなわち一対の折り曲げ部２１０，２１０に挟まれた部分は、ボルト２２が貫通され且つボルト２２に螺合されたナット２３によって継手２側に押圧された状態で、継手２の外面２ａに設置された防食本体部１０に直接又は間接に重ねられている。図２に示す形態では、湾曲部２１１と継手２の外面２ａに設置された防食本体部１０との間に、鋼管本体１に設置された防食本体部１０から延出する保護カバー１２の延出部１２Ｅが介在しており、湾曲部２１１は継手２に設置された防食本体部１０に間接に重ねられている。
【００３２】
図２に示すように、押さえ板材２１（湾曲部２１１）がボルト２２及びナット２３による締め付けによって押圧された状態において、ナット２３をボルト２２から外して押さえ板材２１の押圧状態を解除すると、図５に示すように、湾曲部２１１（押さえ板材２１における一対の折り曲げ部２１０，２１０に挟まれた部分）が、スプリングバックにより継手２から離れる方向に湾曲する。
【００３３】
防食構造５は、前述した押さえ板材２１の特徴的な構成により、鋼管矢板３の表面３０の各部に設置された防食本体部１０の防食対象面（鋼管本体１の外周面１ａ、継手２の外面２ａ）に対する密着性が良好であり、表面３０の防食効果に優れる。すなわち押さえ板材２１は、前述したとおり、湾曲部２１１を有しスプリングバック特性を発現するため、図２に示す如くに、湾曲部２１１がボルト２２及びナット２３による締め付けによって押圧されて平坦状に変形し、折り曲げ部２１０が鋼管本体１の外周面１ａに設置された防食本体部１０と接触した状態では、その変形した湾曲部２１１と継手２との間に位置する防食本体部１０が、継手２側に押圧されてその外面２ａに密着するとともに、鋼管本体１に設置された防食本体部１０が、押さえ板材２１のスプリングバック特性によって生ずる反力によって鋼管本体１側に押圧されてその外周面１ａに密着する。このように防食構造５においては、溝部３２の底部（継手２の外面２ａ）にボルト２２及びナット２３によって固定された１枚の押さえ板材２１によって、溝部３２を三方から包囲する防食本体部１０がそれぞれその防食対象面（継手２の外面２ａ、鋼管本体１の外周面１ａ）側に押圧されて密着するため、各防食対象面を効果的に防食し得る。
【００３４】
また、押さえ板材２１は、第２方向Ｙ（溝部３２の長手方向）に沿う一対の両側部を折り曲げ部２１０とし、且つ自然状態においてこの一対の折り曲げ部２１０に挟まれた部分を、一方の面２１ａ側に凸に湾曲した湾曲部２１１とするため、防食本体部１０を鋼管矢板３側に押さえつけて固定する際、折り曲げ部２１０が鋼管本体１側に滑らかに移動することができるとともに、防食本体部１０と保護カバー１２の延出部１２Ｅとの境界である境界部分において折り曲げ部２１０が防食本体部１０を大きく押圧してこれを密着させることができる。この折り曲げ部２１０の押圧による防食本体部１０の密着効果は、従来の平坦な押さえ板材を使用した場合には奏され難い効果である。
【００３５】
また、押さえ板材２１の第２方向Ｙ（溝部３２の長手方向）に沿う一対の両側部が折り曲げられて折り曲げ部２１０となっているため、該両側部が折り曲げられていない場合に比べて、該両側部の第２方向Ｙの曲げ剛性が向上している。押さえ板材２１の両側部の第２方向Ｙの曲げ剛性が低いと、ボルト２２及びナット２３による締め付けによって湾曲部２１１を平坦状に変形させたときに該両側部が波打ってしまい、防食本体部１０の密着性の低下を招くおそれがあるが、防食構造５においては、押さえ板材２１の両側部が折り曲げ部２１０となっていることで斯かる不都合の防止が図られている。
【００３６】
押さえ板材２１の各部の寸法は特に制限されないが、例えば次のように設定することができる。
自然状態の押さえ板材２１の第１方向Ｘの長さＬｘ（図４参照）、すなわち自然状態の押さえ板材２１の平面視における幅方向Ｘの長さＬｘは、好ましくは１４０〜２００ｍｍ、より好ましくは１５０〜１８０ｍｍである。
折り曲げ部２１０が図４に示すように湾曲している場合、その湾曲した部分の曲率半径は、好ましくは５〜２０ｍｍ、より好ましくは８〜１５ｍｍである。
湾曲部２１１の最大高さＨ（図４参照）、すなわち自然状態の押さえ板材２１を平坦面に置いた場合の該平坦面からの高さが最大となる部分（典型的には、押さえ板材２１の第１方向Ｘの中央部）の該高さＨは、好ましくは２〜１０ｍｍ、より好ましくは４〜８ｍｍである。
湾曲部２１１の曲率半径は、好ましくは１００〜２００ｍｍ、より好ましくは１２０〜１８０ｍｍである。
ボルト挿入孔２１２の直径Ｒ（図４参照）は、好ましくは１６〜３２ｍｍ、より好ましくは２０〜３０ｍｍである。
第２方向Ｙに隣り合うボルト挿入孔２１２同士の間隔Ｓ（図３参照）は、好ましくは５０〜３００ｍｍ、より好ましくは１５０〜２５０ｍｍである。
【００３７】
図６〜図１０には、本発明の防食構造（押さえ板材）の他の実施形態が示されている。後述する実施形態については、前述した防食構造５、押さえ板材２１と異なる構成部分を主として説明し、同様の構成部分は同一の符号を付して説明を省略する。特に説明しない構成部分は、防食構造５、押さえ板材２１についての説明が適宜適用される。
【００３８】
図６に示す防食構造５Ａは、防食本体部１０の構成が前述した防食構造５と異なる。防食構造５Ａでは、図６に示すように、溝部３２（継手２）を挟んで隣り合う２つの鋼管本体１，１それぞれから延出する保護カバー１２の延出部１２Ｅが、継手２の外面２ａに設置された防食本体部１０の保護カバー１２として機能している。また、防食構造５Ａでは、保護カバー１２の延出部１２Ｅと継手２の外面２ａに接触する防食層１１との間に緩衝層１３が充填されており、防食構造５に存在した、延出部１２Ｅと他の保護カバー１２との隙間Ｇは存在しない。防食構造５Ａによっても防食構造５と同様の効果が奏される。
【００３９】
図７に示す防食構造５Ｂは、固定手段２０（押さえ板材２１）が、Ｃ型継手である継手２Ａどうしが連結したいわゆるＰ−Ｐ型連結部に設置されている。防食構造５Ｂでは、ボルト２２を継手２Ａの外面２ａに固定するための支持基材２４が、連結された２つの継手２Ａ，２Ａを第１方向Ｘに跨ぐように１つ配されている。防食構造５Ｂは、以上の点以外は、防食構造５Ａ（鋼管本体１から延出する保護カバー１２の延出部１２Ｅが、継手２の外面２ａに設置された防食本体部１０の保護カバー１２を兼ねる形態）と同様に構成されている。防食構造５Ｂによっても防食構造５と同様の効果が奏される。
【００４０】
図８に示す防食構造５Ｃは、連結された２つの継手２Ａ，２Ａそれぞれの外面２ａに支持基材２４を介してボルト２２が固定されることで、溝部３２に複数（２つ）のボルト２２，２２が第１方向Ｘに間欠配置されているのに対応して、押さえ板材２１Ｐの第１方向Ｘに、溝部３２の第１方向Ｘにおけるボルト２２の配置数と同数（２つ）のボルト挿入孔２１２が間欠配置されている。防食構造５Ｃは、溝部３２の幅（第１方向Ｘの長さ）が比較的長い場合に特に有用である。防食構造５Ｃは、以上の点以外は、防食構造５Ｂと同様に構成されている。防食構造５Ｃによっても防食構造５と同様の効果が奏される。
【００４１】
図９に示す防食構造５Ｄは、固定手段２０（押さえ板材２１Ｑ）が、Ｔ型継手である継手２Ｂと、第１方向Ｘに沿う断面視においてＬ字状をなすいわゆるＬ型継手である継手２Ｃとが連結した、いわゆるＬ−Ｔ型連結部に設置されている。また、防食構造５Ｄに用いられている押さえ板材２１Ｑは、自然状態において、折り曲げ部２１０が、図１０に示す如き第１方向Ｘに沿う断面視で湾曲部２１１に対してＶ字状に屈曲している。押さえ板材２１Ｑの折り曲げ部２１０は、前述した押さえ板材２１（図４参照）の折り曲げ部２１０のように湾曲しておらず、第１方向Ｘに沿う断面視で略直線状をなし、湾曲部２１１と相対向していない。また、押さえ板材２１Ｑの折り曲げ部２１０は、図９に示すように、湾曲部２１１がボルト２２及びナット２３による締め付けによって押圧されて平坦状に変形した状態では、鋼管本体１の外周面１ａに設置された防食本体部１０に対し「面」で接触する。防食構造５Ｄは、以上の点以外は、防食構造５Ｂと同様に構成されている。防食構造５Ｄによっても防食構造５と同様の効果が奏される。
【００４２】
以上、本発明をその好ましい実施形態に基づき説明したが、本発明は前記実施形態に制限されず、また、一の実施形態が具備する構成は、他の実施形態が具備し得る。
例えば、本発明の押さえ板材の実施形態として、折り曲げ部が湾曲しているもの（図４参照）と湾曲していないもの（図１０参照）とを挙げ、前者の押さえ板材について、複数の鋼管本体がＰ−Ｔ型連結部を介して連結された鋼管矢板に適用した例を示し（図２参照）、後者の押さえ板材について、複数の鋼管本体がＬ−Ｔ型連結部を介して連結された鋼管矢板に適用した例を示したが（図９参照）、本発明の押さえ板材の適用例はこれらに限定されず、例えば、前者の押さえ板材を図９に示す如きＬ−Ｔ型連結部を有する鋼管矢板に適用してもよく、後者の押さえ板材をＬ−Ｔ型連結部以外の他の連結部を有する鋼管矢板に適用してもよい。
また、継手２の外面２ａに設置された防食本体部１０として、該防食本体部１０専用の保護カバー１２を具備するもの（図２参照）と、鋼管本体１から延出する保護カバー１２の延出部１２Ｅが該防食本体部１０の保護カバー１２を兼ねるもの（図６〜図９参照）とを挙げ、前者について、Ｐ−Ｔ型連結部を有する鋼管矢板に適用した例を示し、後者について、Ｐ−Ｔ型連結部以外の他の連結部を有する鋼管矢板に適用した例を示したが、本発明に係る防食本体部の適用例はこれらに限定されず、例えば、前者を図６〜図９に示す如きＰ−Ｔ型連結部以外の他の連結部を有する鋼管矢板に適用してもよく、後者を図２に示す如きＰ−Ｔ型連結部を有する鋼管矢板に適用してもよい。
【符号の説明】
【００４３】
１  鋼管本体
１ａ  鋼管本体の外周面（鋼管矢板の表面の一部）
２，２Ａ，２Ｂ，２Ｃ  継手
２ａ  継手の外面（鋼管矢板の表面の一部）
３  鋼管矢板
３０  鋼管矢板の表面（防食対象面）
３１  畝部
３２  溝部
５，５Ａ，５Ｂ，５Ｃ，５Ｄ  防食構造
１０  防食本体部
１１  防食層
１２  保護カバー
１３  緩衝層
２０  固定手段
２１，２１Ｐ，２１Ｑ  押さえ板材
２１０  折り曲げ部
２１１  湾曲部
２１２  ボルト挿入孔
２２  ボルト
２３  ナット
２４  支持基材
２５  固定板
２６  ワッシャー
Ｘ  第１方向（溝部の幅方向）
Ｙ  第２方向（溝部の長手方向）
【要約】
【課題】鋼管矢板の凹凸表面に対する防食層の密着性に優れ、該凹凸表面を効果的に暴防食し得る、鋼管矢板の防食構造及び該防食構造に使用可能な押さえ板材を提供すること。
【解決手段】鋼管矢板３の溝部３２に配され、防食本体部１０を鋼管矢板３側に押さえつけて固定する固定手段２０は、防食本体部１０の表面に接触する押さえ板材２１と、ボルト２２及びナット２３とを含む。押さえ板材２１の両側部の一対の折り曲げ部２１０が、鋼管本体１の外周面１ａに設置された防食本体部１０に重ねられ、押さえ板材２１における該一対の折り曲げ部２１０に挟まれた部分２１１が、ボルト２２が貫通され継手２側に押圧された状態で、継手２の外面２ａに設置された防食本体部１０に重ねられている。ナット２３をボルト２２から外して押さえ板材２１の押圧状態を解除すると、前記部分２１１がスプリングバックにより継手２から離れる方向に湾曲する。
【選択図】図２【図１】
0006687792.tif 000002
【図２】
0006687792.tif 000003
【図３】
0006687792.tif 000004
【図４】
0006687792.tif 000005
【図５】
0006687792.tif 000006
【図６】
0006687792.tif 000007
【図７】
0006687792.tif 000008
【図８】
0006687792.tif 000009
【図９】
0006687792.tif 000010
【図１０】
0006687792.tif 000011